(57)【要約】【課題】印影の照合精度を容易に高めることができる印影照合装置及びプログラムを提供する。【解決手段】特定の印章を用いた押印により届出印及び捨印が付された押印済み帳票から届出印及び捨印を検出し、検出された届出印と捨印とを方向を対応させて重ね合わせて得られた印影と届出印に相当する印影を示すと共にＲＯＭ１４Ｃに予め記憶されている登録印情報により示される印影とが予め定められた誤差内で一致したか否かを判定し、予め定められた誤差内で一致したと判定された場合に押印済み帳票に正規の届出印が含まれていることを示す正規印影情報を出力し、予め定められた誤差内で一致しないと判定された場合に押印済み帳票に正規の主印影が含まれていないことを示す非正規印影情報を出力する。【選択図】図１
2013047908.tif 000002
【特許請求の範囲】
【請求項１】
特定の印章を用いた押印により主印影及び副印影が付された被押印物から前記主印影及び前記副印影を検出する検出手段と、
前記検出手段によって検出された前記主印影と前記副印影とを方向を対応させて重ね合わせて得られた重ね合わせ印影と、前記主印影に相当する印影を示すと共に記憶手段に予め記憶されている印影情報により示される印影とが予め定められた誤差内で一致したか否かを判定する判定手段と、
前記判定手段によって前記誤差内で一致したと判定された場合に前記被押印物に正規の印影が含まれていることを示す正規印影情報を出力し、前記判定手段によって前記誤差内で一致しないと判定された場合に前記被押印物に正規の印影が含まれていないことを示す非正規印影情報を出力する出力手段と、
を含む印影照合装置。
【請求項２】
前記判定手段は、前記検出手段によって検出された前記主印影と前記記憶手段に記憶されている前記印影情報により示される印影とが前記誤差内で一致したか否かを判定する前段判定手段を有し、前記前段判定手段によって前記誤差内で一致しないと判定された場合に前記検出手段によって検出された前記主印影と前記副印影とを方向を対応させて重ね合わせて得られた重ね合わせ印影と前記記憶手段に記憶されている前記印影情報により示される印影とが予め定められた誤差内で一致したか否かを判定し、
前記出力手段は、更に、前記前段判定手段によって前記誤差内で一致したと判定された場合に前記正規印影情報を出力する請求項１に記載の印影照合装置。
【請求項３】
前記判定手段は、前記前段判定手段によって前記誤差内で一致しないと判定された場合に前記検出手段によって検出された前記副印影と前記記憶手段に記憶されている前記印影情報により示される印影とが前記誤差内で一致したか否かを判定する後段判定手段を更に有し、前記後段判定手段によって前記誤差内で一致しないと判定された場合に前記検出手段によって検出された前記主印影と前記副印影とを方向を対応させて重ね合わせて得られた重ね合わせ印影と、前記記憶手段に記憶されている前記印影情報により示される印影とが予め定められた誤差内で一致したか否かを判定し、
前記出力手段は、更に、前記後段判定手段によって前記誤差内で一致したと判定された場合に前記正規印影情報を出力する請求項２に記載の印影照合装置。
【請求項４】
特定の印章を用いた押印により主印影及び副印影が付された被押印物から前記主印影印及び前記副印影を検出する検出手段と、
前記主印影に相当する印影を示すと共に記憶手段に予め記憶されている主印影情報により示される印影と前記副印影に相当する印影を示すと共に前記記憶手段に予め記憶されている副印影情報により示される印影とを方向を対応させて重ね合わせて得られた重ね合わせ印影と、前記検出手段によって検出された主印影とが予め定められた誤差内で一致したか否かを判定する判定手段と、
前記判定手段によって前記誤差内で一致したと判定された場合に前記被押印物に正規の印影が含まれていることを示す正規印影情報を出力し、前記判定手段によって前記誤差内で一致しないと判定された場合に前記被押印物に正規の印影が含まれていないことを示す非正規印影情報を出力する出力手段と、
を含む印影照合装置。
【請求項５】
前記判定手段は、前記検出手段によって検出された前記主印影と前記記憶手段に記憶されている前記主印影情報により示される印影とが前記誤差内で一致したか否かを判定する前段判定手段を有し、前記前段判定手段によって前記誤差内で一致しないと判定された場合に前記記憶手段に記憶されている前記主印影情報により示される印影と前記記憶手段に予め記憶されている前記副印影情報により示される印影とを方向を対応させて重ね合わせて得られた重ね合わせ印影と、前記検出手段によって検出された主印影とが予め定められた誤差内で一致したか否かを判定し、
前記出力手段は、更に、前記前段判定手段によって前記誤差内で一致したと判定された場合に前記正規印影情報を出力する請求項４に記載の印影照合装置。
【請求項６】
前記判定手段は、前記前段判定手段によって前記誤差内で一致しないと判定された場合に前記検出手段によって検出された前記主印影と前記記憶手段に記憶されている前記副印影情報により示される印影とが前記誤差内で一致したか否かを判定する後段判定手段を更に有し、前記後段判定手段によって前記誤差内で一致しないと判定された場合に前記記憶手段に記憶されている前記主印影情報により示される印影と前記記憶手段に記憶されている前記副印影情報により示される印影とを方向を対応させて重ね合わせて得られた重ね合わせ印影と、前記検出手段によって検出された主印影とが予め定められた誤差内で一致したか否かを判定し、
前記出力手段は、更に、前記後段判定手段によって前記誤差内で一致したと判定された場合に前記正規印影情報を出力する請求項５に記載の印影照合装置。
【請求項７】
押印により複数の印影が付された被押印物から印影を検出する検出手段と、
前記検出手段によって検出された少なくとも２つの印影が予め定められた誤差内で一致したか否かを判定する判定手段と、
前記判定手段によって前記誤差内で一致したと判定された場合に前記被押印物に正規の印影として予め定められた印影が含まれていることを示す正規印影情報を出力し、前記判定手段によって前記誤差内で一致しないと判定された場合に前記被押印物に前記予め定められた印影が含まれていないことを示す非正規印影情報を出力する出力手段と、
を含む印影照合装置。
【請求項８】
コンピュータを、
特定の印章を用いた押印により主印影及び副印影が付された被押印物から前記主印影及び前記副印影を検出する検出手段、
前記検出手段によって検出された前記主印影と前記副印影とを方向を対応させて重ね合わせて得られた重ね合わせ印影と、前記主印影に相当する印影を示すと共に記憶手段に予め記憶されている印影情報により示される印影とが予め定められた誤差内で一致したか否かを判定する判定手段、
並びに、前記判定手段によって前記誤差内で一致したと判定された場合に前記被押印物に正規の印影が含まれていることを示す正規印影情報を出力し、前記判定手段によって前記誤差内で一致しないと判定された場合に前記被押印物に正規の印影が含まれていないことを示す非正規印影情報を出力する出力手段として機能させるためのプログラム。
【請求項９】
コンピュータを、
特定の印章を用いた押印により主印影及び副印影が付された被押印物から前記主印影印及び前記副印影を検出する検出手段、
前記主印影に相当する印影を示すと共に記憶手段に予め記憶されている主印影情報により示される印影と前記副印影に相当する印影を示すと共に前記記憶手段に予め記憶されている副印影情報により示される印影とを方向を対応させて重ね合わせて得られた重ね合わせ印影と、前記検出手段によって検出された主印影とが予め定められた誤差内で一致したか否かを判定する判定手段、
並びに、前記判定手段によって前記誤差内で一致したと判定された場合に前記被押印物に正規の印影が含まれていることを示す正規印影情報を出力し、前記判定手段によって前記誤差内で一致しないと判定された場合に前記被押印物に正規の印影が含まれていないことを示す非正規印影情報を出力する出力手段として機能させるためのプログラム。
【請求項１０】
コンピュータを、
押印により複数の印影が付された被押印物から印影を検出する検出手段、
前記検出手段によって検出された少なくとも２つの印影が予め定められた誤差内で一致したか否かを判定する判定手段、
並びに、前記判定手段によって前記誤差内で一致したと判定された場合に前記被押印物に正規の印影として予め定められた印影が含まれていることを示す正規印影情報を出力し、前記判定手段によって前記誤差内で一致しないと判定された場合に前記被押印物に前記予め定められた印影が含まれていないことを示す非正規印影情報を出力する出力手段として機能させるためのプログラム。
【発明の詳細な説明】
【技術分野】
【０００１】
本発明は、印影照合装置及びプログラムに係り、特に、帳票に押印された印影が正規の印影であるか否かを識別する印影照合装置及びプログラムに関する。
【背景技術】
【０００２】
帳票をスキャナで読み取って得られたデータから届出印を示す情報を抽出する技術が知られている。しかし、届出印だけでは照合の決着がつかない場合がある。
【０００３】
そこで、特許文献１では、届出印だけでは照合の決着がつかないような場合に捨印による照合を実施するという技術を提案している。
【先行技術文献】
【特許文献】
【０００４】
【特許文献１】特開昭６０−１４２４７５号公報
【発明の概要】
【発明が解決しようとする課題】
【０００５】
しかしながら、従来技術では、正規の印章を用いて押印されることで得られた届出印であっても、印影に欠けや掠れがあると、照合の判定結果が異印となる場合があるという問題点があった。また、特許文献１に記載の技術でも捨印に欠けや掠れがあった場合には同印と判定できない可能性がある、という問題点があった。
【０００６】
本発明は上記問題点を解決するために成されたものであり、印影の照合精度を容易に高めることができる印影照合装置及びプログラムを提供することを目的とする。
【課題を解決するための手段】
【０００７】
上記目的を達成するために、請求項１に記載の印影照合装置を、特定の印章を用いた押印により主印影及び副印影が付された被押印物から前記主印影及び前記副印影を検出する検出手段と、前記検出手段によって検出された前記主印影と前記副印影とを方向を対応させて重ね合わせて得られた重ね合わせ印影と、前記主印影に相当する印影を示すと共に記憶手段に予め記憶されている印影情報により示される印影とが予め定められた誤差内で一致したか否かを判定する判定手段と、前記判定手段によって前記誤差内で一致したと判定された場合に前記被押印物に正規の印影が含まれていることを示す正規印影情報を出力し、前記判定手段によって前記誤差内で一致しないと判定された場合に前記被押印物に正規の印影が含まれていないことを示す非正規印影情報を出力する出力手段と、を含んで構成した。
【０００８】
請求項１に記載の印影照合装置を、請求項２に記載の発明のように、前記判定手段が、前記検出手段によって検出された前記主印影と前記記憶手段に記憶されている前記印影情報により示される印影とが前記誤差内で一致したか否かを判定する前段判定手段を有し、前記前段判定手段によって前記誤差内で一致しないと判定された場合に前記検出手段によって検出された前記主印影と前記副印影とを方向を対応させて重ね合わせて得られた重ね合わせ印影と前記記憶手段に記憶されている前記印影情報により示される印影とが予め定められた誤差内で一致したか否かを判定し、前記出力手段が、更に、前記前段判定手段によって前記誤差内で一致したと判定された場合に前記正規印影情報を出力するものとしても良い。
【０００９】
請求項２に記載の印影照合装置を、請求項３に記載の発明のように、前記判定手段が、前記前段判定手段によって前記誤差内で一致しないと判定された場合に前記検出手段によって検出された前記副印影と前記記憶手段に記憶されている前記印影情報により示される印影とが前記誤差内で一致したか否かを判定する後段判定手段を更に有し、前記後段判定手段によって前記誤差内で一致しないと判定された場合に前記検出手段によって検出された前記主印影と前記副印影とを方向を対応させて重ね合わせて得られた重ね合わせ印影と、前記記憶手段に記憶されている前記印影情報により示される印影とが予め定められた誤差内で一致したか否かを判定し、前記出力手段が、更に、前記後段判定手段によって前記誤差内で一致したと判定された場合に前記正規印影情報を出力するものとしても良い。
【００１０】
上記目的を達成するために、請求項４に記載の印影照合装置を、特定の印章を用いた押印により主印影及び副印影が付された被押印物から前記主印影印及び前記副印影を検出する検出手段と、前記主印影に相当する印影を示すと共に記憶手段に予め記憶されている主印影情報により示される印影と前記副印影に相当する印影を示すと共に前記記憶手段に予め記憶されている副印影情報により示される印影とを方向を対応させて重ね合わせて得られた重ね合わせ印影と、前記検出手段によって検出された主印影とが予め定められた誤差内で一致したか否かを判定する判定手段と、前記判定手段によって前記誤差内で一致したと判定された場合に前記被押印物に正規の印影が含まれていることを示す正規印影情報を出力し、前記判定手段によって前記誤差内で一致しないと判定された場合に前記被押印物に正規の印影が含まれていないことを示す非正規印影情報を出力する出力手段と、を含んで構成した。
【００１１】
請求項４に記載の印影照合装置を、請求項５に記載の発明のように、前記判定手段が、前記検出手段によって検出された前記主印影と前記記憶手段に記憶されている前記主印影情報により示される印影とが前記誤差内で一致したか否かを判定する前段判定手段を有し、前記前段判定手段によって前記誤差内で一致しないと判定された場合に前記記憶手段に記憶されている前記主印影情報により示される印影と前記記憶手段に予め記憶されている前記副印影情報により示される印影とを方向を対応させて重ね合わせて得られた重ね合わせ印影と、前記検出手段によって検出された主印影とが予め定められた誤差内で一致したか否かを判定し、前記出力手段が、更に、前記前段判定手段によって前記誤差内で一致したと判定された場合に前記正規印影情報を出力するものとしても良い。
【００１２】
請求項５に記載の印影照合装置を、請求項６に記載の発明のように、前記判定手段が、前記前段判定手段によって前記誤差内で一致しないと判定された場合に前記検出手段によって検出された前記主印影と前記記憶手段に記憶されている前記副印影情報により示される印影とが前記誤差内で一致したか否かを判定する後段判定手段を更に有し、前記後段判定手段によって前記誤差内で一致しないと判定された場合に前記記憶手段に記憶されている前記主印影情報により示される印影と前記記憶手段に記憶されている前記副印影情報により示される印影とを方向を対応させて重ね合わせて得られた重ね合わせ印影と、前記検出手段によって検出された主印影とが予め定められた誤差内で一致したか否かを判定し、前記出力手段が、更に、前記後段判定手段によって前記誤差内で一致したと判定された場合に前記正規印影情報を出力するものとしても良い。
【００１３】
上記目的を達成するために、請求項７に記載の印影照合装置を、押印により複数の印影が付された被押印物から印影を検出する検出手段と、前記検出手段によって検出された少なくとも２つの印影が予め定められた誤差内で一致したか否かを判定する判定手段と、前記判定手段によって前記誤差内で一致したと判定された場合に前記被押印物に正規の印影として予め定められた印影が含まれていることを示す正規印影情報を出力し、前記判定手段によって前記誤差内で一致しないと判定された場合に前記被押印物に前記予め定められた印影が含まれていないことを示す非正規印影情報を出力する出力手段と、を含んで構成した。
【００１４】
上記目的を達成するために、請求項８に記載のプログラムを、特定の印章を用いた押印により主印影及び副印影が付された被押印物から前記主印影及び前記副印影を検出する検出手段、前記検出手段によって検出された前記主印影と前記副印影とを方向を対応させて重ね合わせて得られた重ね合わせ印影と、前記主印影に相当する印影を示すと共に記憶手段に予め記憶されている印影情報により示される印影とが予め定められた誤差内で一致したか否かを判定する判定手段、並びに、前記判定手段によって前記誤差内で一致したと判定された場合に前記被押印物に正規の印影が含まれていることを示す正規印影情報を出力し、前記判定手段によって前記誤差内で一致しないと判定された場合に前記被押印物に正規の印影が含まれていないことを示す非正規印影情報を出力する出力手段としてコンピュータを機能させるためのものとした。
【００１５】
上記目的を達成するために、請求項９に記載のプログラムを、特定の印章を用いた押印により主印影及び副印影が付された被押印物から前記主印影印及び前記副印影を検出する検出手段、前記主印影に相当する印影を示すと共に記憶手段に予め記憶されている主印影情報により示される印影と前記副印影に相当する印影を示すと共に前記記憶手段に予め記憶されている副印影情報により示される印影とを方向を対応させて重ね合わせて得られた重ね合わせ印影と、前記検出手段によって検出された主印影とが予め定められた誤差内で一致したか否かを判定する判定手段、並びに、前記判定手段によって前記誤差内で一致したと判定された場合に前記被押印物に正規の印影が含まれていることを示す正規印影情報を出力し、前記判定手段によって前記誤差内で一致しないと判定された場合に前記被押印物に正規の印影が含まれていないことを示す非正規印影情報を出力する出力手段としてコンピュータを機能させるためのものとした。
【００１６】
上記目的を達成するために、請求項１０に記載のプログラムを、押印により複数の印影が付された被押印物から印影を検出する検出手段、前記検出手段によって検出された少なくとも２つの印影が予め定められた誤差内で一致したか否かを判定する判定手段、並びに、前記判定手段によって前記誤差内で一致したと判定された場合に前記被押印物に正規の印影として予め定められた印影が含まれていることを示す正規印影情報を出力し、前記判定手段によって前記誤差内で一致しないと判定された場合に前記被押印物に前記予め定められた印影が含まれていないことを示す非正規印影情報を出力する出力手段としてコンピュータを機能させるためのものとした。
【発明の効果】
【００１７】
請求項１及び請求項８に係る発明によれば、特定の印章を用いた押印により主印影及び副印影が付された被押印物から検出手段によって検出された主印影と副印影とを方向を対応させて重ね合わせて得られた重ね合わせ印影と主印影に相当する印影を示すと共に記憶手段に予め記憶されている印影情報により示される印影とが予め定められた誤差内で一致したか否かを判定し、一致したと判定された場合に被押印物に正規の印影が含まれていることを示す正規印影情報を出力し、一致しないと判定された場合に被押印物に正規の印影が含まれていないことを示す非正規印影情報を出力する構成を有しない場合に比べ、印影の照合精度を容易に高めることができる、という効果が得られる。
【００１８】
請求項２に係る発明によれば、検出手段によって検出された主印影と記憶手段に記憶されている印影情報により示される印影とが予め定められた誤差内で一致したか否かを判定し、一致したと判定された場合に正規印影情報を出力し、一致しないと判定された場合に検出手段によって検出された主印影と副印影とを方向を対応させて重ね合わせて得られた重ね合わせ印影と記憶手段に記憶されている印影情報により示される印影とが予め定められた誤差内で一致したか否かを判定する構成を有しない場合に比べ、印影の照合精度をより一層高めることができる、という効果が得られる。
【００１９】
請求項３に係る発明によれば、検出手段によって検出された主印影と記憶手段に記憶されている印影情報により示される印影とが予め定められた誤差内で一致したか否かの判定で、予め定められた誤差内で一致しないと判定された場合に検出手段によって検出された副印影と記憶手段に記憶されている印影情報により示される印影とが予め定められた誤差内で一致したか否かを判定し、一致したと判定された場合に正規印影情報を出力し、一致しないと判定された場合に検出手段によって検出された主印影と副印影とを方向を対応させて重ね合わせて得られた重ね合わせ印影と、記憶手段に記憶されている印影情報により示される印影とが予め定められた誤差内で一致したか否かを判定する構成を有しない場合に比べ、印影の照合精度をより一層高めることができる、という効果が得られる。
【００２０】
請求項４及び請求項９に係る発明によれば、特定の印章を用いた押印により主印影及び副印影が付された被押印物における主印影に相当する印影を示すと共に記憶手段に予め記憶されている主印影情報により示される印影と副印影に相当する印影を示すと共に記憶手段に予め記憶されている副印影情報により示される印影とを方向を対応させて重ね合わせて得られた重ね合わせ印影と、検出手段によって検出された主印影とが予め定められた誤差内で一致したか否かを判定し、一致したと判定された場合に被押印物に正規の印影が含まれていることを示す正規印影情報を出力し、一致しないと判定された場合に被押印物に正規の印影が含まれていないことを示す非正規印影情報を出力する構成を有しない場合に比べ、印影の照合精度を容易に高めることができる、という効果が得られる。
【００２１】
請求項５に係る発明によれば、検出手段によって検出された主印影と記憶手段に記憶されている主印影情報により示される印影とが誤差内で一致したか否かを判定し、一致したと判定された場合に正規印影情報を出力し、一致しないと判定された場合に記憶手段に記憶されている主印影情報により示される印影及び記憶手段に予め記憶されている副印影情報により示される印影とを方向を対応させて重ね合わせて得られた重ね合わせ印影と、検出手段によって検出された主印影とが予め定められた誤差内で一致したか否かを判定する構成を有しない場合に比べ、印影の照合精度をより一層高めることができる、という効果が得られる。
【００２２】
請求項６に係る発明によれば、検出手段によって検出された主印影と記憶手段に記憶されている主印影情報により示される印影とが予め定められた誤差内で一致したか否かの判定で、一致しないと判定された場合に前記検出手段によって検出された主印影と記憶手段に記憶されている副印影情報により示される印影とが予め定められた誤差内で一致したか否かを判定し、一致したと判定された場合に正規印影情報を出力し、一致しないと判定された場合に記憶手段に記憶されている主印影情報により示される印影と記憶手段に予め記憶されている副印影情報により示される印影とを方向を対応させて重ね合わせて得られた印影と、検出手段によって検出された主印影とが予め定められた誤差内で一致したか否かを判定する構成を有しない場合に比べ、印影の照合精度をより一層高めることができる、という効果が得られる。
【００２３】
請求項７及び請求項１０に係る発明によれば、押印により複数の印影が付された被押印物から印影を検出する検出手段によって検出された少なくとも２つの印影が予め定められた誤差内で一致したか否かを判定し、一致したと判定された場合に被押印物に正規の印影として予め定められた印影が含まれていることを示す正規印影情報を出力し、一致しないと判定された場合に被押印物に前記予め定められた印影が含まれていないことを示す非正規印影情報を出力する構成を有しない場合に比べ、印影の照合精度を容易に高めることができる、という効果が得られる。
【図面の簡単な説明】
【００２４】
【図１】実施の形態に係る印影照合システムの構成の一例を示す構成図である。
【図２】第１及び第２の実施の形態に係る読取対象の押印済み帳票の一例を示す概略図である。
【図３】実施の形態に係る帳票データテーブルの一例を示す模式図である。
【図４】第１の実施の形態に係る登録印テーブルの一例を示す模式図である。
【図５】第１の実施の形態に係る印影照合処理プログラムの処理の流れの一例を示すフローチャートである。
【図６】第１の実施の形態に係る印影照合処理の具体例の説明に供する補助図である。
【図７】第２の実施の形態に係る登録印テーブルの一例を示す模式図である。
【図８】第２の実施の形態に係る印影照合処理プログラムの処理の流れの一例を示すフローチャートである。
【図９】第２の実施の形態に係る印影照合処理の具体例の説明に供する補助図である。
【図１０】第３の実施の形態に係る読取対象の押印済み帳票の一例を示す概略図である。
【図１１】第３の実施の形態に係る印影照合処理プログラムの処理の流れの一例を示すフローチャートである。
【図１２】第３の実施の形態に係る印影照合処理で検出された印影の一例を示す概略図である。
【図１３】第３の実施の形態に係る印影照合処理の具体例の説明に供する補助図である。
【発明を実施するための形態】
【００２５】
以下、図面を参照して本発明を実施するための形態の一例について詳細に説明する。なお、本実施の形態では、銀行の店舗や地方公共団体の施設などに導入された印影照合システムを例に挙げて説明する。また、本実施の形態では、顧客が提出する各種の申請書類や変更届などの帳票に対して押印によって付された印影と事前に登録されている印影とを照合する場合について説明する。具体的には、顧客が自身で所有する特定の印章を用いて帳票に対して押印することにより主印影の一例である届出印と副印影の一例である捨印とが付された被押印物の一例である押印済み帳票に含まれる印影を読み取って得られた情報と登録印として予め登録されている印影を示す情報とを照合する場合について説明する。
【００２６】
［第１の実施の形態］
先ず、図１を参照しながら、本第１の実施の形態に係る印影照合システム１０の構成について説明する。図１は、本実施の形態に係る印影照合システム１０の全体構成の一例を示す構成図である。図１に示すように、印影照合システム１０は、クライアント装置１２、サーバ装置１４、及び通信回線１６を含んで構成されており、クライアント装置１２とサーバ装置１４とは通信回線１６を介して互いに通信可能となるように接続されている。なお、本実施の形態に係る印影照合システム１０では、通信回線１６として、クライアント装置１２とサーバ装置１４との間で専用に敷設された専用通信回線を適用している。
【００２７】
クライアント装置１２は、クライアント装置１２全体の動作を司るＣＰＵ（中央処理装置）１２Ａと、ＣＰＵ１２Ａによる各種処理プログラムの実行時のワークエリア等として用いられるＲＡＭ（Random Access Memory）１２Ｂと、各種処理プログラムや各種パラメータなどが予め記憶されたＲＯＭ（Read Only Memory）１２Ｃと、各種情報を記憶するために用いられる二次記憶部（ここでは、一例としてハードディスク装置）１２Ｄと、各種情報を入力する（受け付ける）ために用いられる番号キー、十字キー、キーボード、マウス、タッチパネル・ディスプレイに含まれるタッチパネルなどを含んで構成された入力部１２Ｅと、タッチパネル・ディスプレイに含まれるディスプレイを有し、各種情報を表示する表示部１２Ｆと、画像を光学的に読み取り、読み取って得た画像を示す画像情報を出力するスキャナ１２Ｇと、通信回線１６を介してサーバ装置１４に通信可能に接続され、サーバ装置１４との間の各種情報の授受を司る外部インタフェース（Ｉ／Ｆ）１２Ｈと、を含んで構成されている。これら各部は、アドレスバス、制御バス、及びシステムバスなどを含むバス１２Ｊにより電気的に相互に接続されている。従って、ＣＰＵ１２Ａは、ＲＡＭ１２Ｂ、ＲＯＭ１２Ｃ及び二次記憶部１２Ｄに対するアクセスと、入力部１２Ｅを介した各種入力情報の取得と、表示部１２Ｆに対する各種情報の表示と、スキャナ１２Ｇによって取得された画像情報の取得と、スキャナ１２Ｇの動作の制御と、外部Ｉ／Ｆ１２Ｇを介したサーバ装置１４との間の各種情報の授受と、を各々行うことができる。
【００２８】
一方、サーバ装置１４は、サーバ装置１４全体の動作を司るＣＰＵ１４Ａと、ＣＰＵ１４Ａによる各種処理プログラムの実行時のワークエリア等として用いられるＲＡＭ１４Ｂと、各種処理プログラムや各種パラメータなどが予め記憶されたＲＯＭ１４Ｃと、各種情報を記憶するために用いられる記憶手段の一例である二次記憶部（ここでは、一例としてハードディスク装置）１４Ｄと、各種情報を入力する（受け付ける）ために用いられる番号キー、十字キー、キーボード、マウス、タッチパネル・ディスプレイに含まれるタッチパネルなどを含んで構成された入力部１４Ｅと、タッチパネル・ディスプレイに含まれるディスプレイを有し、各種情報を表示する表示部１４Ｆと、通信回線１６を介してクライアント装置１２に通信可能に接続され、クライアント装置１２との間の各種情報の授受を司る外部Ｉ／Ｆ１４Ｇと、を含んで構成されている。これら各部は、アドレスバス、制御バス、及びシステムバスなどを含むバス１４Ｈにより電気的に相互に接続されている。従って、ＣＰＵ１４Ａは、ＲＡＭ１４Ｂ、ＲＯＭ１４Ｃ及び二次記憶部１４Ｄに対するアクセスと、入力部１４Ｅを介した各種入力情報の取得と、表示部１４Ｆに対する各種情報の表示と、外部Ｉ／Ｆ１４Ｇを介したクライアント装置１２との間の各種情報の授受と、を各々行うことができる。
【００２９】
図２には、押印済み帳票の一例が示されている。図２には、帳票に「大山」との印章を用いた押印により届出印及び捨印が付された例が示されている。また、図２に示す帳票の下部には異なる２つの印章を用いて押印された検印が付されている。
【００３０】
ところで、本第１の実施の形態に係る印影照合システム１０では、クライアント装置１２のスキャナ１２Ｇが例えば図２に示す押印済み帳票に含まれる届出印及び捨印（以下では、これらを区別しない場合は他の印影と同様に単に「印影」という。）を含む押印済み帳票を印影と共に読み取る。そして、クライアント装置１２は、スキャナ１２により読み取って得られた押印済み帳票を示す押印済み帳票データをサーバ装置１４に送信する。サーバ装置１４は、クライアント装置１２から送信された押印済み帳票データを受信し、受信した押印済み帳票データから印影に相当する画像情報を抽出し、抽出した画像情報と届出印に相当する印影である登録印として予め登録されている印影を示す登録印情報とを照合する印影照合処理を実行する。
【００３１】
本第１の実施の形態に係るサーバ装置１４では、印影照合処理を実現するために、帳票データテーブル及び登録印テーブルが用いられる。帳票データテーブル及び登録印テーブルはサーバ装置１４の二次記憶部１４Ｄに記憶されている。図３には、帳票データテーブルの一例である帳票データテーブル２０が示されている。帳票データテーブル２０は、クライアント装置１２のスキャナ１２Ｇにより押印済み帳票を読み取って得られた押印済み帳票データから印影に相当する情報を特定するために用いられるテーブルである。図３に示す例では、振込用紙や借入申請用紙などの未記入の帳票を特定する情報の一例である帳票名の帳票Ａ〜Ｚの各々に対して、対応する帳票を例えばスキャナ１２Ｇにより読み取って得た画像を示す画像情報である帳票データが対応付けられて構成されたテーブルが示されている。なお、図３には、帳票Ａに対して帳票データとして帳票Ａデータが対応付けられ、帳票Ｂに対して帳票データとして帳票Ｂデータが対応付けられ、帳票Ｚに対して帳票データとして帳票Ｚデータが対応付けられた例が示されている。また、帳票名に代えて各帳票を特定可能な数字や記号又はこれらの組み合わせであっても良い。
【００３２】
図４には登録印テーブルの一例である登録印テーブル２２が示されている。登録印テーブル２２は、顧客が事前に登録印（一例として届出印に相当する印影）として登録した印影を示す登録印情報を含んで構成されたテーブルである。登録印情報により示される印影は、押印済み帳票に含まれる届出印及び捨印の少なくとも一方との照合に用いられる。図４に示す例では、顧客を特定する名前である顧客名の顧客Ａ〜Ｚの各々に対して、対応する登録印として予め登録された印影を示す登録印情報が対応付けられて構成されたテーブルが示されている。なお、図４には、顧客Ａに対して「大山」との登録印を示す登録印情報が対応付けられ、顧客Ｂに対して「飯田」との登録印を示す登録印情報が対応付けられ、顧客Ｚに対して「山田」との登録印を示す登録印情報が対応付られた例が示されている。
【００３３】
ところで、本第１の実施の形態に係る印影照合システム１０では、印影照合処理を実現するために印影照合処理に含まれる各種処理がソフトウェア構成によって実現される。つまり、本第１の実施の形態に係るサーバ装置１４では、印影照合処理に含まれる各種処理がソフトウェア構成によって実現される。その一例としては、コンピュータを利用してプログラムを実行する形態が挙げられる。しかし、このようなソフトウェア構成による実現に限られるものではなく、ハードウェア構成や、ハードウェア構成とソフトウェア構成との組み合わせによって実現しても良いことは言うまでもない。
【００３４】
以下では、本第１の実施の形態に係るサーバ装置１４のＣＰＵ１４Ａが印影照合処理プログラムを実行することにより印影照合処理を実現する場合について説明する。この場合、印影照合処理プログラムをＲＯＭ１４Ｃに各々予め記憶させておく形態や、記憶内容がコンピュータによって読み取られる記録媒体に記憶された状態で提供される形態、有線または無線による通信手段を介して配信される形態等を適用しても良い。
【００３５】
図５は、クライアント装置１２から送信された押印済み帳票データをサーバ装置１４が受信した際にサーバ装置１４のＣＰＵ１４Ａによって実行される印影照合処理プログラムの処理の流れの一例を示すフローチャートである。なお、ここでは、錯綜を回避するために、届出印及び捨印の押印対象とされる帳票の届出印が付される領域として予め定められた届出印領域に届出印が付され、捨印が付される領域として予め定められた捨印領域に捨印が付されている場合について説明する。また、ここでは、錯綜を回避するために、届出印及び捨印を帳票に付した顧客が特定されている場合について説明する。
【００３６】
図５のステップ１００では、帳票データテーブル２０が有する帳票データと押印済み帳票データとのパターンマッチングにより帳票を特定し、特定した帳票の届出印領域の届出印を検出し、検出した届出印と登録印テーブル２２に含まれる顧客に対応する登録印情報により示される印影とを照合する。
【００３７】
次のステップ１０２では、上記ステップ１００の処理で照合されて得られた結果を判定する。すなわち、上記ステップ１００の処理で検出された届出印と登録印テーブル２２に含まれる顧客に対応する登録印情報により示される印影とが予め定められて誤差内（例えば一致率９５％以上）で一致しているか否かを判定し、肯定判定となった場合にはステップ１２０に移行する一方、否定判定となった場合にはステップ１０４に移行する。なお、図６には、上記ステップ１００の処理で検出された届出印と登録印テーブル２２に含まれる顧客に対応する登録印情報により示される印影とが予め定められて誤差内で一致していない場合の一例が示されている。図６に示す例では、届出印に見逃すことができない大きな欠けがあるために届出印と登録印情報により示される印影とが予め定められて誤差内で一致せず、押印済み帳票に含まれる印影と登録印とが異印であると判定される形態が示されている。
【００３８】
ステップ１０４では、上記ステップ１００の処理で特定された帳票の捨印領域の印影を探索し、探索して印影と上記ステップ１００の処理で検出された届出印とを照合した後、ステップ１０６に移行する。ステップ１０６では、上記ステップ１０４の処理で照合されて得られた結果を判定する。すなわち、上記ステップ１０４の処理で探索された印影と上記ステップ１００の処理で検出された届出印との一致度が予め定められた一致度以上であるか否かを判定し、否定判定となった場合にはステップ１１８に移行する一方、肯定判定となった場合にはステップ１０８に移行する。ここで肯定判定となった場合には上記ステップ１０４の処理で探索された印影が捨印であるということを意味し、捨印が検出されたということになる（図６も参照）。
【００３９】
ステップ１０８では、上記ステップ１０６の処理で検出された捨印と登録印テーブル２２に含まれる顧客に対応する登録印情報により示される印影とを照合する。次のステップ１１０では、上記ステップ１０８の処理で照合されて得られた結果を判定する。すなわち、上記ステップ１０４の処理で検出された捨印と登録印テーブル２２に含まれる顧客に対応する登録印情報により示される印影とが予め定められて誤差内で一致しているか否かを判定し、肯定判定となった場合にはステップ１２０に移行する一方、否定判定となった場合にはステップ１１２に移行する。なお、図６には、上記ステップ１０６の処理で検出された捨印と登録印テーブル２２に含まれる顧客に対応する登録印情報により示される印影とが予め定められて誤差内で一致していない場合の一例が示されている。図６に示す例では、捨印に見逃すことができない大きな欠けがあるために届出印と登録印情報により示される印影とが予め定められて誤差内で一致せず、押印済み帳票に含まれる印影と登録印とが異印であると判定される形態が示されている。
【００４０】
ステップ１１２では、上記ステップ１００の処理で検出された届出印と上記ステップ１０４の処理で検出された捨印とを方向を対応させて重ね合わせた重ね合わせ印影を作成する。図６には、重ね合わせ印影の一例が示されている。図６に示す例では、届出印の欠けが捨印の対応箇所で修正され、捨印の欠けが届出印の対応箇所で修正される形態が示されている。
【００４１】
次のステップ１１４では、上記ステップ１１２の処理で作成されて得られた重ね合わせ印影と登録印テーブル２２に含まれる顧客に対応する登録印情報により示される印影とを照合する。次のステップ１１６では、上記ステップ１１４の処理で照合されて得られた結果を判定する。すなわち、上記ステップ１１２の処理で作成されて得られた重ね合わせ印影と登録印テーブル２２に含まれる顧客に対応する登録印情報により示される印影とが予め定められて誤差内で一致しているか否かを判定し、肯定判定となった場合にはステップ１２０に移行する一方、否定判定となった場合にはステップ１１８に移行する。なお、図６には、上記ステップ１１２の処理で作成されて得られた重ね合わせ印影と登録印テーブル２２に含まれる顧客に対応する登録印情報により示される印影とが予め定められて誤差内で一致している場合の一例が示されている。図６に示す例では、捨印の欠けが原因で捨印と登録印とが予め定められて誤差内で一致せず、かつ届出印の欠けが原因で届出印と登録印とが予め定められて誤差内で一致していないが、届出印と捨印とを方向を対応させて重ね合わせて得られた重ね合わせ印影と登録印とが予め定められて誤差内で一致しているので、押印済み帳票に含まれる印影と登録印とが同印である判定される形態が示されている。
【００４２】
ステップ１１８では、押印済み帳票に正規の届出印が含まれていないことを示す非正規印影情報を出力した後、本印影照合処理プログラムを終了する。
【００４３】
一方、ステップ１２０では、押印済み帳票に正規の届出印が含まれていることを示す正規印影情報を出力した後、本印影照合処理プログラムを終了する。
なお、非正規印影情報及び正規印影情報の出力先としては表示部１４Ｆが例示できる。この場合、例えば、非正規印影情報が表示部１４Ｆに入力されると、表示部１４Ｆが「帳票に正規の印影が含まれていません。（照合不成立）」とのメッセージを表示し、正規印影情報が表示部１４Ｆに入力されると、表示部１４Ｆが「帳票に正規の印影が含まれていません。（照合成立）」とのメッセージを表示する、という形態例が挙げられる。このような可視表示に限らず、スピーカによる可聴表示やプリンタによる永久可視表示であっても良いし、これらを組み合わせて表示しても良い。
また、非正規印影情報及び正規印影情報の少なくも一方をクライアント装置１２に送信し、クライアント装置１２の表示部１２Ｆに上記メッセージを表示するようにしても良い。
更に、非正規印影情報及び正規印影情報の出力先を二次記憶部１２Ｄ及び二次記憶部１４Ｄの少なくとも一方とし、非正規印影情報及び正規印影情報を二次記憶部１２Ｄ及び二次記憶部１４Ｄの少なくとも一方に記憶させても良い。
【００４４】
以上詳細に説明したように、本第１の実施の形態に係る印影照合システム１０では、特定の印章を用いた押印により届出印及び捨印が付された押印済み帳票から届出印及び捨印を検出し、検出された届出印と捨印とを方向を対応させて重ね合わせて得られた重ね合わせ印影と届出印に相当する印影を示すと共にＲＯＭ１４Ｃに予め記憶されている登録印情報により示される印影とが予め定められた誤差内で一致したか否かを判定し、予め定められた誤差内で一致したと判定された場合に押印済み帳票に正規の印影（一例として届出印）が含まれていることを示す正規印影情報を出力し、予め定められた誤差内で一致しないと判定された場合に押印済み帳票に正規の印影が含まれていないことを示す非正規印影情報を出力するので、このような構成を有しない場合に比べ、印影の照合精度を容易に高めることができる。
【００４５】
また、本第１の実施の形態に係る印影照合システム１０では、検出された届出印とＲＯＭ１４Ｃに記憶されている登録印情報により示される印影とが予め定められた誤差内で一致したか否かを判定し、一致したと判定された場合に正規印影情報を出力し、一致しないと判定された場合に、検出された届出印と捨印とを重ね合わせて得られた重ね合わせ印影とＲＯＭ１４Ｃに記憶されている登録印情報により示される印影とが予め定められた誤差内で一致したか否かを判定するので、このような構成を有しない場合に比べ、印影の照合精度をより一層高めることができる。
【００４６】
また、本第１の実施の形態に係る印影照合システム１０では、検出された届出印とＲＯＭ１４Ｃに記憶されている登録印情報により示される印影とが予め定められた誤差内で一致したか否かの判定で、一致しないと判定された場合に、検出された捨印とＲＯＭ１４Ｃに記憶されている登録印情報により示される印影とが予め定められた誤差内で一致したか否かを判定し、一致したと判定された場合に正規印影情報を出力し、一致しないと判定された場合に、検出された届出印と捨印とを方向を対応させて重ね合わせて得られた重ね合わせ印影とＲＯＭ１４Ｃに記憶されている登録印情報により示される印影とが予め定められた誤差内で一致したか否かを判定するので、このような構成を有しない場合に比べ、印影の照合精度をより一層高めることができる。
【００４７】
［第２の実施の形態］
上記第１の実施形態では、押印済み帳票に含まれる届出印と捨印とを重ね合わせた印影が登録印と同印か否かを判定する場合の形態例を挙げて説明したが、本第２の実施の形態では、押印済み帳票に含まれる届出印が事前に登録されている届出印と捨印とを方向を対応させて重ね合わせて得られた重ね合わせ印影と同印か否かを判定する場合について説明する。なお、上記第１の実施の形態で説明した構成と同一の構成については同一の符号を付してその説明を省略する。
【００４８】
図７には登録印テーブルの一例である登録印テーブル２４が示されている。登録印テーブル２４は、顧客が事前に登録印として登録した印影を示す登録印情報を含んで構成されたテーブルである。登録印情報は、届出印に相当する印影を示す登録届出印情報及び捨印に相当する印影を示す登録捨印情報を含んで構成されている。図７に示す例では、顧客Ａ〜Ｚの各々の届出印の項目毎に、対応する登録届出印情報が対応付けられ、顧客名の顧客Ａ〜Ｚの各々の捨印の項目毎に、対応する登録捨印情報が対応付けられて構成されたテーブルが示されている。なお、図７には、顧客Ａの届出印の項目に対して「大山」との届出印に相当する印影を示す登録届出印情報が対応付けられ、顧客Ａの捨印の項目に対して「大山」との捨印に相当する印影を示す登録捨印情報が対応付けられ、顧客Ｂの届出印の項目に対して「飯田」との届出印に相当する印影を示す登録届出印情報が対応付けられ、顧客Ｂの捨印の項目に対して登録捨印情報が対応付けられず、顧客Ｚの届出印の項目に対して登録届出印情報が対応付けられず、顧客Ｚの捨印の項目に対して「山田」との捨印に相当する印影を示す登録捨印情報が対応付られた例が示されている。
【００４９】
図８は、クライアント装置１２から送信された押印済み帳票データをサーバ装置１４が受信した際にサーバ装置１４のＣＰＵ１４Ａによって実行される本第２の実施の形態に係る印影照合処理プログラムの処理の流れの一例を示すフローチャートである。なお、ここでは、錯綜を回避するために、届出印及び捨印の押印対象とされる帳票の届出印が付される領域として予め定められた届出印領域に届出印が付され、捨印が付される領域として予め定められた捨印領域に捨印が付されている場合について説明する。また、ここでは、錯綜を回避するために、届出印及び捨印を帳票に付した顧客が特定されている場合について説明する。
【００５０】
図８のステップ２００では、帳票データテーブル２０が有する帳票データと押印済み帳票データとのパターンマッチングにより帳票を特定し、特定した帳票の届出印領域の届出印を検出し、検出した届出印と登録印テーブル２２に含まれる顧客に対応する登録届出印情報により示される印影とを照合する。
【００５１】
次のステップ２０２では、上記ステップ２００の処理で照合されて得られた結果を判定する。すなわち、上記ステップ２００の処理で検出された届出印と登録印テーブル２４に含まれる顧客に対応する登録届出印情報により示される印影とが予め定められて誤差内で一致しているか否かを判定し、肯定判定となった場合にはステップ２２０に移行する一方、否定判定となった場合にはステップ２０４に移行する。なお、図９には、上記ステップ２００の処理で検出された届出印と登録印テーブル２４に含まれる顧客に対応する登録届出印情報により示される印影とが予め定められて誤差内で一致していない場合の一例が示されている。図９に示す例では、登録届出印情報により示される印影に見逃すことができない大きな欠けがあるために届出印と登録届出印情報により示される印影とが予め定められて誤差内で一致せず、押印済み帳票に含まれる印影と届出印として事前に登録された登録印とが異印であると判定される形態が示されている。
【００５２】
ステップ２０４では、顧客に関する登録捨印情報が登録印テーブル２４に存在しているか否かを判定し、否定判定となった場合にはステップ２１８に移行する一方、肯定判定となった場合にはステップ２０６に移行する。
【００５３】
ステップ２０６では、上記ステップ２００の処理で検出された届出印と登録印テーブル２４に含まれる顧客に対応する登録捨印情報により示される印影とを照合した後、ステップ２０８に移行し、上記ステップ２０６の処理で照合されて得られた結果を判定する。すなわち、上記ステップ２００の処理で検出された届出印と登録印テーブル２４に含まれる顧客に対応する登録捨印情報により示される印影とが予め定められて誤差内で一致しているか否かを判定し、肯定判定となった場合にはステップ２２０に移行する一方、否定判定となった場合にはステップ２１０に移行する。なお、図９には、上記ステップ２００の処理で検出された届出印と登録印テーブル２４に含まれる顧客に対応する登録捨印情報により示される印影とが予め定められて誤差内で一致していない場合の一例が示されている。図９に示す例では、登録捨印情報により示される印影に見逃すことができない大きな欠けがあるために届出印と登録捨印情報により示される印影とが予め定められて誤差内で一致せず、押印済み帳票に含まれる印影と捨印として事前に登録された登録印とが異印であると判定される形態が示されている。
【００５４】
ステップ２１０では、登録印テーブル２４に含まれる顧客に対応する登録届出印情報により示される印影と登録印テーブル２４に含まれる顧客に対応する登録捨印情報により示される印影とを方向を対応させて重ね合わせた重ね合わせ印影を作成する。図９には、登録印テーブル２４に含まれる顧客に対応する登録届出印情報により示される印影と登録印テーブル２４に含まれる顧客に対応する登録捨印情報により示される印影とを方向を対応させて重ね合わせた重ね合わせ印影の一例が示されている。図９に示す例では、登録届出印情報により示される印影の欠けが登録捨印情報により示される印影の対応箇所で修正され、登録捨印情報により示される印影の欠けが登録届出印情報により示される印影の対応箇所で修正される形態が示されている。
【００５５】
次のステップ２１２では、上記ステップ２００の処理で検出された届出印と上記ステップ２１０の処理で作成されて得られた重ね合わせ印影とを照合する。次のステップ２１４では、上記ステップ２１２の処理で照合されて得られた結果を判定する。すなわち、上記ステップ２００の処理で検出された届出印と上記ステップ２１０の処理で作成されて得られた印影とが予め定められて誤差内で一致しているか否かを判定し、肯定判定となった場合にはステップ２１８に移行する一方、否定判定となった場合にはステップ２２０に移行する。なお、図９には、上記ステップ２００の処理で検出された届出印と上記ステップ２１０の処理で作成されて得られた印影とが予め定められて誤差内で一致している場合の一例が示されている。図９に示す例では、登録届出印情報により示される印影の欠けが原因で届出印と予め定められて誤差内で一致せず、かつ登録捨印情報により示される印影の欠けが原因で届出印と予め定められて誤差内で一致していないが、上記ステップ２００の処理で検出された届出印と上記ステップ２１０の処理で作成されて得られた重ね合わせ印影と届出印とが予め定められて誤差内で一致しているので、押印済み帳票に含まれる印影と登録印とが同印である判定される形態が示されている。
【００５６】
ステップ２１８では、押印済み帳票に正規の届出印が含まれていないことを示す非正規印影情報を出力した後、本印影照合処理プログラムを終了する。
【００５７】
一方、ステップ２２０では、押印済み帳票に正規の届出印が含まれていることを示す正規印影情報を出力した後、本印影照合処理プログラムを終了する。
なお、非正規印影情報及び正規印影情報の出力先としては表示部１４Ｆが例示できる。この場合、例えば、非正規印影情報が表示部１４Ｆに入力されると、表示部１４Ｆが「帳票に正規の印影が含まれていません。（照合不成立）」とのメッセージを表示し、正規印影情報が表示部１４Ｆに入力されると、表示部１４Ｆが「帳票に正規の印影が含まれていません。（照合成立）」とのメッセージを表示する、という形態例が挙げられる。このような可視表示に限らず、スピーカによる可聴表示やプリンタによる永久可視表示であっても良いし、これらを組み合わせて表示しても良い。
また、非正規印影情報及び正規印影情報の少なくも一方をクライアント装置１２に送信し、クライアント装置１２の表示部１２Ｆに上記メッセージを表示するようにしても良い。
更に、非正規印影情報及び正規印影情報の出力先を二次記憶部１２Ｄ及び二次記憶部１４Ｄの少なくとも一方とし、非正規印影情報及び正規印影情報を二次記憶部１２Ｄ及び二次記憶部１４Ｄの少なくとも一方に記憶させても良い。
【００５８】
以上詳細に説明したように、本第２の実施の形態に係る印影照合システム１０では、特定の印章を用いた押印により届出印及び捨印が付された押印済み帳票から届出印及び捨印を検出し、届出印に相当する印影を示すと共にＲＯＭ１４Ｃに予め記憶されている登録届出印情報により示される印影と捨印に相当する印影を示すと共にＲＯＭ１４Ｃに予め記憶されている登録捨印情報により示される印影とを方向を対応させて重ね合わせて得られた重ね合わせ印影と、検出された届出印とが予め定められた誤差内で一致したか否かを判定し、一致したと判定された場合に押印済み帳票に正規の印影が含まれていることを示す正規印影情報を出力し、一致しないと判定された場合に押印済み帳票に正規の印影が含まれていないことを示す非正規印影情報を出力するので、このような構成を有しない場合に比べ、印影の照合精度を容易に高めることができる。
【００５９】
また、本第２の実施の形態に係る印影照合システム１０では、検出された届出印とＲＯＭ１４Ｃに記憶されている登録届出印情報により示される印影とが予め定められた誤差内で一致したか否かを判定し、一致したと判定された場合に前記正規印影情報を出力し、一致しないと判定された場合にＲＯＭ１４Ｃに記憶されている登録届出印情報により示される印影とＲＯＭ１４Ｃに予め記憶されている登録捨印情報により示される印影とを方向を対応させて重ね合わせて得られた重ね合わせ印影と、検出された届出印とが予め定められた誤差内で一致したか否かを判定するので、印影の照合精度をより一層高めることができる。
【００６０】
また、本第２の実施の形態に係る印影照合システム１０では、検出された届出印とＲＯＭ１４Ｃに記憶されている登録届出印情報により示される印影とが予め定められた誤差内で一致したか否かの判定で、一致しないと判定された場合に、検出された届出印とＲＯＭ１４Ｃに記憶されている登録捨印情報により示される印影とが予め定められた誤差内で一致したか否かを判定し、一致したと判定された場合に正規印影情報を出力し、一致しないと判定された場合に、ＲＯＭ１４Ｃに記憶されている登録届出印情報により示される印影及びＲＯＭ１４Ｃに記憶されている登録捨印情報により示される印影を重ね合わせて得られた印影と、検出された届出印とが予め定められた誤差内で一致したか否かを判定するので、印影の照合精度をより一層高めることができる。
【００６１】
［第３の実施の形態］
上記各実施の実施形態では、事前に登録された登録印を用いて押印済み帳票に正規の印影として予め定められた印影が存在しているか否かを判定する場合の形態例を挙げて説明したが、本第３の実施の形態では、事前に登録された登録印を用いずに押印済み帳票に正規の印影として予め定められた印影が存在しているか否かを判定する場合について説明する。なお、上記各実施の形態で説明した構成と同一の構成については同一の符号を付してその説明を省略する。
【００６２】
図１０には、押印済み帳票の一例が示されている。図１０には、帳票に「高雷」との印章を用いて届出印及び捨印が付されると共に、異なる２つの印章を用いて押印された検印１，２が付された例が示されている。
【００６３】
図１１は、クライアント装置１２から送信された押印済み帳票データをサーバ装置１４が受信した際にサーバ装置１４のＣＰＵ１４Ａによって実行される本第３の実施の形態に係る印影照合処理プログラムの処理の流れの一例を示すフローチャートである。なお、ここでは、錯綜を回避するために、届出印及び捨印の押印対象とされる帳票の届出印が付される領域として予め定められた届出印領域に届出印が付され、捨印が付される領域として予め定められた捨印領域に捨印が付されている場合について説明する。また、ここでは、錯綜を回避するために、届出印及び捨印を帳票に付した顧客が特定されている場合について説明する。
【００６４】
図１１のステップ３００では、受信した押印済み帳票データに対応する帳票データを帳票データテーブル２０から取得した後、ステップ３０２に移行し、上記ステップ３００の処理で取得された帳票データにより示される帳票の画像に対して、印影の探索を実施する。
【００６５】
次のステップ３０４では、上記ステップ３０２の処理で探索されることによって一例として図１２に示すように複数の印影（ここでは一例としてＮｏ．１の届出印、Ｎｏ．２の捨印、Ｎｏ．３の検印１、及びＮｏ．４の検印２）が検出され、検出された印影同士を比較し、予め定められた誤差内（例えば一致率が９５％以上）で一致している印影を検出する。なお、本第３の実施の形態では、一致率が９５％未満の場合には不一致と判定される。例えば、図１３に示すように、一致率が２０％や５％の場合は不一致と判定され、この結果、異印と判定される。また、図１３に示す例では、「高雷」との印影同士の一致率が９５％以上であるため、同印と判定され、それ以外の印影の組み合わせの一致率は９５％を大きく下回っているため、異印と判定される。
【００６６】
次のステップ３０６では、上記ステップ３０４の処理で予め定められた誤差内で一致している印影が検出されたか否かを判定し、肯定判定となった場合にはステップ３０８に移行する一方、否定判定となった場合にはステップ３１０に移行する。
【００６７】
ステップ３０８では、押印済み帳票に正規の届出印が含まれていることを示す正規印影情報を出力した後、本印影照合処理プログラムを終了する。
【００６８】
一方、ステップ３１０では、押印済み帳票に正規の届出印が含まれていないことを示す非正規印影情報を出力した後、本印影照合処理プログラムを終了する。
なお、非正規印影情報及び正規印影情報の出力先としては表示部１４Ｆが例示できる。この場合、例えば、非正規印影情報が表示部１４Ｆに入力されると、表示部１４Ｆが「帳票に正規の印影が含まれていません。（照合不成立）」とのメッセージを表示し、正規印影情報が表示部１４Ｆに入力されると、表示部１４Ｆが「帳票に正規の印影が含まれていません。（照合成立）」とのメッセージを表示する、という形態例が挙げられる。このような可視表示に限らず、スピーカによる可聴表示やプリンタによる永久可視表示であっても良いし、これらを組み合わせて表示しても良い。
また、非正規印影情報及び正規印影情報の少なくも一方をクライアント装置１２に送信し、クライアント装置１２の表示部１２Ｆに上記メッセージを表示するようにしても良い。
更に、非正規印影情報及び正規印影情報の出力先を二次記憶部１２Ｄ及び二次記憶部１４Ｄの少なくとも一方とし、非正規印影情報及び正規印影情報を二次記憶部１２Ｄ及び二次記憶部１４Ｄの少なくとも一方に記憶させても良い。
【００６９】
以上詳細に説明したように、本第３の実施の形態に係る印影照合システム１０では、押印により複数の印影が付された押印済み帳票から印影を検出し、検出された少なくとも２つの印影が予め定められた誤差内で一致したか否かを判定し、一致したと判定された場合に押印済み帳票に正規の印影として予め定められた印影（一例として届出印）が含まれていることを示す正規印影情報を出力し、一致しないと判定された場合に押印済み帳票に正規の印影として予め定められた印影が含まれていないことを示す非正規印影情報を出力するので、このような構成を有しない場合に比べ、印影の照合精度を容易に高めることができる。
【００７０】
なお、上記各実施の形態では、クライアント装置１２及びサーバ装置１４を備えた印影照合システム１０を例に挙げて説明したが、クライアント装置１２及びサーバ装置１４で分散処理するのではなく、例えば１台のコンピュータで集中して実行するようにしても良い。この場合の１台のコンピュータに帳票データテーブル及び登録印テーブルを格納させておくと共に、上記第１〜第３の実施の形態で説明した何れかの印影照合処理プログラムを導入しておけば良い。
【００７１】
また、上記第２の実施の形態では、印影照合処理プログラムに登録印テーブル２４に含まれる顧客に対応する登録届出印情報により示される印影と登録印テーブル２４に含まれる顧客に対応する登録捨印情報により示される印影とを方向を対応させて重ね合わせた重ね合わせ印影を作成するステップが含まれているが、これに限らず、事前に印影同士を方向を対応させて重ね合わせて得られた重ね合わせ印影を示す情報を登録印テーブル２４に予め登録しておいても良い。このように事前に作成しておいた重ね合わせ印影を使用することで、印影照合処理の過程で重ね合わせ印影を作成せずに済むので、処理の高速化が期待できる。
【００７２】
また、上記第１の実施の形態で説明した印影照合処理と上記第２の実施の形態で説明した印影照合処理との双方を併用しても良い。この場合、上記ステップ１００の処理で検出された届出印と上記ステップ１０４の処理で検出された捨印とを重ね合わせた印影と、登録印テーブル２４に含まれる顧客に対応する登録届出印情報により示される印影と登録印テーブル２４に含まれる顧客に対応する登録捨印情報により示される印影とを方向を対応させて重ね合わせて得られた重ね合わせ印影と、が予め定められた誤差内で一致しているか否かを判定することで、より高精度の印影照合を実現することができる。
【００７３】
また、上記第３の実施の形態で説明した印影照合処理プログラムに上記第１又は第２の実施の形態で説明した印影照合処理プログラムを組み込んでも良い。例えば、図８に示す印影照合処理プログラムのステップ２００の前段階で図１１に示す印影照合処理プログラムのステップ３００〜３０６を挿入し、ステップ３０６で肯定判定となった場合にステップ２２０に移行し、否定判定となった場合にステップ２１８に移行するプログラムとしても良い。この他にも、例えば、図８に示す印影照合処理プログラムのステップ２１４とステップ２１８との間に図１１に示す印影照合処理プログラムのステップ３００〜３０６を挿入し、ステップ３０６で肯定判定となった場合にステップ２２０に移行し、否定判定となった場合にはステップ２１８に移行するプログラムとしても良い。なお、図５に示す印影照合プログラムに対して図１１に示す印影照合プログラムを組み込む場合も同様にすれば良い。このように上記第３の実施の形態で説明した印影照合処理プログラムに上記第１又は第２の実施の形態で説明した印影照合処理プログラムを組み込むことで、より高精度の印影照合を実現することができる。
【符号の説明】
【００７４】
１０  印影照合システム
１４  サーバ装置
１４Ａ  ＣＰＵ
１４Ｃ  ＲＯＭ
【図１】
2013047908.tif 000003
【図２】
2013047908.tif 000004
【図３】
2013047908.tif 000005
【図４】
2013047908.tif 000006
【図５】
2013047908.tif 000007
【図７】
2013047908.tif 000008
【図８】
2013047908.tif 000009
【図１０】
2013047908.tif 000010
【図１１】
2013047908.tif 000011
【図１２】
2013047908.tif 000012
【図１３】
2013047908.tif 000013
【図６】
2013047908.tif 000014
【図９】
2013047908.tif 000015